(57)【要約】【課題】  スピーカボックスに内蔵したスピーカユニットの振動が装置外部に伝達することを抑制する。【解決手段】  一対のスピーカユニット３，４を内蔵し、一対のスピーカユニット３，４が音響放音面を互いに逆向きにして支持されたスピーカボックス２と、スピーカボックス２を支持する支持部材２１とを有し、スピーカボックス２は、スピーカユニット３，４を支持したバッフル板５、６の周縁部が支持部材２１に支持されて設置部から離間された状態で設置される。【選択図】  図２
2006352367.tif 000002
【特許請求の範囲】
【請求項１】
少なくとも一対のスピーカユニットと、
上記一対のスピーカユニットを内蔵し、上記一対のスピーカユニットが音響放音面を互いに逆向きにして支持されたスピーカボックスと、
上記スピーカボックスを支持する支持部材とを有し、
上記スピーカボックスは、少なくとも一方のスピーカユニットを支持したバッフル板の周縁部が上記支持部材に支持されて設置部から離間された状態で設置されることを特徴とする音響装置。
【請求項２】
上記スピーカボックスは、上記スピーカユニットを支持した上記バッフル板のコーナ部近傍が支持されて上記支持部材に取り付けられていることを特徴とする請求項１記載の音響装置。
【請求項３】
上記スピーカボックスは、一方及び他方のスピーカユニットを支持したバッフル板の周縁部が上記支持部材に支持されて設置部から離間された状態で設置されることを特徴とする請求項１記載の音響装置。
【請求項４】
上記一対のスピーカユニットは、同相で駆動されることを特徴とする請求項１記載の音響装置。
【請求項５】
音響放音面を互いに逆向きにして上記スピーカボックスに支持された一対のスピーカユニットは、相対向する背面部側が連結部材により連結されていることを特徴とする請求項１記載の音響装置。
【請求項６】
少なくとも映像機器が設置される収納ラックに支持部材が支持されて上記収納ラックに収納されていることを特徴とする請求項１記載の音響装置。
【発明の詳細な説明】
【技術分野】
【０００１】
本発明は、スピーカユニットを内蔵したスピーカボックスを備えた音響装置に関し、スピーカユニットの振動が装置外部へ伝達することを抑えるようにした音響装置に関する。
【背景技術】
【０００２】
従来、スピーカユニット等のオーディオ機器と、ビデオディスクプレーヤで再生される映像を表示する映像表示装置を含む映像機器を一体化したオーディオ・ビデオ（ＡＶ）装置が用いられている。
【０００３】
この種のＡＶ機器は、オーディオ機器を構成するスピーカユニットやアンプなどのオーディオ機器とともに、ビデオ機器を構成するビデオディスクプレーヤや映像表示装置を共通の収納ラックに収納して一体化している。
【０００４】
このように、オーディオ機器とビデオ機器とを一体化したＡＶ機器においては、オーディオ機器を構成するスピーカユニットが音響再生を行うときに発生する振動が収納ラックを介してビデオ機器に伝達され、ビデオ機器に悪影響を及ぼしてしまう。
【０００５】
例えば、ビデオ機器としてＤＶＤ(Digital Versatile  DIsc) の如き光ディスクを記録媒体に用いたビデオディスクプレーヤは、ディスク回転駆動機構によって回転駆動される光ディスクに対し非接触の光ピックアップを用いてビデオ信号等の再生を行うようにしているので、スピーカユニットから伝達される振動によって、光ピックアップにより光ディスクの正確な再生ができなくなるおそれがある。例えば、光ピックアップから出射され、光ディスクの記録トラックを走査する光ビームを光ディスクの信号記録面に合焦させるフォーカス制御や、光ビームを光ディスクの記録トッラクに追従させるトラッキング制御を行う２軸アクチュエータの動作が安定しなくなり、光ディスクに記録された情報信号の再生が安定しなくなり、情報信号の正確な再生が行えなくなるおそれがある。
【０００６】
同等に、オーディオ機器として、コンパクトディスク(Compact Disc)の如き光ディスクを記録媒体とするコンパクトディスクプレーヤを用いた場合にも、スピーカユニットからの振動が伝達されることにより、光ディスクに記録された情報信号の再生が安定しなくなり、情報信号の正確な再生が行えなくなるおそれがある。
【０００７】
また、映像表示装置として、例えば、光学的に映像の表示を行うリアプロジェクション型のテレビジョン受像機を用いた場合に、スピーカユニットから伝達される振動により、この受像機を構成する光学ランプや反射板が振動してしまうと、表示部に表示される映像が揺れたり、色のにじみを生じさせるなど、高品質の映像表示が行えなくなってしまう。
【０００８】
スピーカユニットから発生する振動の影響は、再生される再生音響の低域成分において大きくなる。
【０００９】
スピーカユニットから発生する振動の影響が他の機器に伝達しないようにするものとして特許文献１に開示されるものがあり、スピーカユニットから発生する振動を抑制し、装置外部に伝達しないようにしたスピーカシステムとして特許文献２に開示されたものがある。
【００１０】
【特許文献１】実公昭５９−８５９２号公報
【特許文献２】特公昭６１−４８３１９号公報
【発明の開示】
【発明が解決しようとする課題】
【００１１】
本発明は、スピーカユニットから発生する振動が他の機器に影響を及ぼさないようにした音響装置を提供することを技術課題とする。
【００１２】
また、本発明は、オーディオ・ビデオ（ＡＶ）装置に適用したとき、光ディスク等の記録媒体に記録及び／又は再生手段を非接触の状態で情報信号の記録又は再生を行う機器に悪影響を及ぼすことを防止し、安定した情報信号の記録又は再生を行うことができる音響装置を提供することを技術課題とする。
【００１３】
さらに、本発明は、オーディオ・ビデオ（ＡＶ）装置に適用したとき、映像表示装置による映像表示の劣化を防止することを技術課題とする。
【課題を解決するための手段】
【００１４】
上述したような技術課題を解決するために提案される本発明に係る音響装置は、少なくとも一対のスピーカユニットと、この一対のスピーカユニットを内蔵し、一対のスピーカユニットが音響放音面を互いに逆向きにして支持されたスピーカボックスと、スピーカボックスを支持する支持部材とを有し、スピーカボックスが、少なくとも一方のスピーカユニットを支持したバッフル板の周縁部が支持部材に支持されて設置部から離間された状態で設置される。
【００１５】
本発明に係る音響装置は、支持部材を介して映像機器が設置される収納ラックに収納配置される。
【発明の効果】
【００１６】
本発明に係る音響装置は、一対のスピーカユニットを音響放音面を互いに逆向きにしてスピーカボックス内に支持しているので、各スピーカユニットを支持するバッフル板に加わる振動による力が逆向きとなり、各バッフル板の振動が互いに相殺され、バッフル板の振動が抑制される。そして、互いの振動が相殺されるバッフル板の周縁部の振動は一層小さいものとされ、この周縁部が支持部材に支持しているので、スピーカボックス内に支持されたスピーカユニットから発生する振動の装置外部への伝達が抑えられる。その結果、この音響装置を、オーディオ機器やビデオ機器を収納し、あるいは設置される収納ラックに収納配置した場合でも、この収納ラックに収納若しくは設置されるオーディオ機器やビデオ機器を構成するビデオディスクプレーヤや映像表示装置に悪影響を及ぼすことが抑えられ、安定したオーディオ再生、ビデオ再生を実現し、映像表示装置による映像表示の劣化を防止することができる。
【発明を実施するための最良の形態】
【００１７】
以下、本発明を適用した音響装置の実施の形態を図面を参照して説明する。
【００１８】
本発明に係る音響装置１は、図１に示すように、矩形状のスピーカボックス２を備え、このスピーカボックス２内に、一対の第１及び第２のスピーカユニット３，４が内蔵されている。
【００１９】
第１のスピーカユニット３は、図２示すように、スピーカボックス２の前面側に取り付けられた前面バッフル板５の内面に取り付けられ、第２のスピーカユニット４は、スピーカボックス２の背面側に取り付けられた背面バッフル板６に取り付けられている。
【００２０】
この音響装置１に用いられる第１スピーカユニット３は、図２に示すように、コーン型の振動板７と、この振動板７を支持するスピーカフレーム８と、振動板７を音響信号に基づいて振動させる磁気回路部９とを備える。この磁気回路部９は、スピーカフレーム８の基端部側に取り付けられている。
【００２１】
また、第２のスピーカユニット４も、図２に示すように、コーン型の振動板１０と、この振動板１０を支持するスピーカフレーム１１と、振動板１０を音響信号に基づいて振動させる磁気回路部１２とを備える。この磁気回路部１２も、スピーカフレーム１１の基端部側に取り付けられている。
【００２２】
そして、第１のスピーカユニット３は、振動板７の放音面側を前面バッフル板５側に向け、スピーカフレーム８の外周縁側を固定ネジ１３により固定されて前面バッフル板５に取り付けられている。また、第２のスピーカユニット４も、同じく振動板１０の放音面側を背面バッフル板６側に向けて、スピーカフレーム１１の外周縁側を固定ネジ１４により固定されて背面バッフル板６に取り付けられている。
【００２３】
このように、スピーカボックス２内に配設された第１及び第２のスピーカユニット３，４は、振動板７，１０の放音面側を前面バッフル板５、背面バッフル板６にそれぞれ向けて取り付けられていることから、音響放音面が互いに逆向きである１８０度反転した状態でスピーカボックス２内に取り付けられている。
【００２４】
また、第１及び第２のスピーカユニット３，４は、図２に示すように、振動板７，１０の中心Ｐ０を一致するようにしてスピーカボックス２内に取り付けられている。
【００２５】
なお、振動板７，１０は、外周縁側に設けた矢紙１５をスピーカフレーム８，１１の外周縁に接合するなどしてスピーカフレーム８，１１に図２中矢印Ｙ１方向、Ｙ２方向に振動可能に支持されている。
【００２６】
ところで、第１及び第２のスピーカユニット３，４は、同相の駆動電流が供給されて駆動される。そして、第１及び第２のスピーカユニット３，４を、振動板７，１０の放音面が互いに逆向きになるようにして一のスピーカボックス２内に取り付け、各スピーカユニット３，４を同相で駆動することにより、第１及び第２のスピーカユニット３，４をそれぞれ支持した前面バッフル板５と背面バッフル板６には、互いに逆向きの力が加わるようになる。
【００２７】
そして、前面バッフル板５と背面バッフル板６とは、スピーカボックス２を構成する天板１６と底板１７、さらに天板１６底板１７を連結する側板１８，１９に連結されいるので、各スピーカユニット３，４が駆動されたときに生ずる図２中矢印Ｙ１方向、Ｙ２方向の駆動変位力が相殺される。すなわち、第１及び第２のスピーカユニット３，４が駆動されたときに発生する振動が天板１６、底板１７及び側板１８，１９を介して伝達される。このとき、互いに振動板７，１０を互いに逆向きに取り付けられた第１及び第２のスピーカユニット３，４から発生する振動は、位相を１８０度反転させて天板１６、底板１７及び側板１８，１９を介して伝達するので、第１及び第２のスピーカユニット３，４から発生する振動が伝達の途中で相殺されることになり、前面バッフル板５と背面バッフル板６の振動が抑えられることになる。特に、前面バッフル板５と背面バッフル板６の側板１８，１９に固定される側縁部、さらには、天板１６と側板１８，１９及び底板１７と側板１８，１９とにより囲まれた４つのコーナ部近傍の振動が抑えられる。
【００２８】
そして、本発明に係る音響装置１は、第１及び第２のスピーカユニット３，４を駆動したときに発生する振動が外部に伝達しないように、スピーカボックス２を支持部材２１に支持して所定の設置場所に設置される。
【００２９】
本実施の形態の音響装置１は、前面バッフル板５の両側縁側及び背面バッフル板６の両側縁側に沿って取り付けられた複数の支持部材２１によりスピーカボックス２を支持して所定の設置部上に設置される。
【００３０】
各支持部材２１は、図２に示すように、スピーカボックス２を設置部の設置面Ｍに接触することなく、設置面Ｍから浮かした状態で支持し得るように、下端部側がスピーカボックス２の底板１７から突出するようにして、前面バッフル板５の両側縁、背面バッフル板６の両側縁に沿って一対ずつ配設され、互いに平行に前面バッフル板５及び背面バッフル板６の側縁に沿って取り付けられている。なお、本実施の形態において、支持部材２１は、スピーカボックス２の高さより長尺に形成されることにより、下端部側がスピーカボックス２の底板１７から突出するように取り付けられている。
【００３１】
そして、各支持部材２１は、前面バッフル板５及び背面バッフル板６のコーナ部近傍の上下２箇所を固定機構２２により固定されて、これら前面バッフル板５及び背面バッフル板６に取り付けられている。このコーナ部近傍は、上述したように、第１及び第２のスピーカユニット３，４を同相で駆動したとき、最も振動が抑えられた領域である。
【００３２】
なお、各支持部材２１の前面バッフル板５及び背面バッフル板６への固定位置は、各支持部材２１の構成、スピーカボックス２の構造によっては、各コーナ部から中央部側によった側縁であってもよい。
【００３３】
そして、固定機構２２は、図２及び図３に示すように、支持部材２１を前面バッフル板５又は背面バッフル板６に固定するためのボルト２３と、各バッフル板５，６に取り付けられた鬼目ナット２４と、ボルト２３に挿通されるワッシャ２５とから構成される。ここで、鬼目ナット２４は、前面バッフル板５及び背面バッフル板６のコーナ部近傍に打ち込むようにして取り付けられている。
【００３４】
そして、各支持部材２１は、これら支持部材２１に穿設したネジ挿通孔２６にボルト２３を挿入し、このボルト２３を鬼目ナット２４に螺合することにより前面バッフル板５及び背面バッフル板６に固定される。このとき、ボルト２３の軸部２３ａにはワッシャ２５が挿通される。ボルト２３にワッシャ２５が挿通されることにより、支持部材２１は、少なくともワッシャ２５の幅分、各バッフル板５，６から離間して取り付けられる。
【００３５】
各支持部材２１は、前面バッフル板５及び背面バッフル板６から離間し、各バッフル板５，６のコーナ部近傍のみをボルト２３により固定されてスピーカボックス２を支持しているので、スピーカボックス２から各支持部材２１に伝達される振動が一層抑制される。
【００３６】
なお、ワッシャ２５を弾性を有する合成樹脂材料又はゴム等により形成することにより、スピーカボックス２から各支持部材２１に伝達される振動をワッシャ２５により減衰することができ、支持部材２１を介して外部に伝達される振動をさらに抑えることができる。
【００３７】
また、本実施の形態において、固定機構２２は、各バッフル板５，６に鬼目ナット２４を設け、この鬼目ナット２４にボルト２３を螺合して支持部材２１を固定するようにしているので、固定機構２２が設けられる部分が密閉された構造とされ、スピーカボックス２内に発生する音響ががこの固定機構２２部分を介して外部に漏れることもない。
【００３８】
本発明に係る音響装置１にあっては、図１に示すように、前面バッフル板６側に、グリル２７を取り付けるようにしてもよい。グリル２７は、スピーカボックス２の前面側を覆ってスピーカボックス２の振動板７の保護を図り、さらにはスピーカボックス２の外観を整えるものであって、スピーカボックス２の前面側を覆うに足る大きさの矩形状のグリル枠２８を備える。このグリル枠２８は、合成樹脂の成形体により形成され、遮蔽用のスピーカネット２９が設けられている。グリル２７は、図３に示すように、グリル枠２８の背面側のコーナ部に一体に係合突部３０を設け、この係合突部３０を支持部材２１に設けた係合部３１に係合することによって着脱自在に取り付けられる。
【００３９】
ここで、係合部３１は、合成樹脂の成形体により形成され、フランジ部３１ａの中央部に係合突部３０が嵌合する弾性変位可能な係合筒部３２が突設されている。この係合部３１は、支持部材２１に設けた凹部３３に係合筒部３２を挿入し、フランジ部３１ａを凹部３３の周縁に固定することによって支持部材２１に取り付けられる。
【００４０】
そして、グリル２７は、係合突部３０を係合部３１の係合筒部３２に係脱することにより、スピーカボックス２に対し着脱される。
【００４１】
上述のように構成された本発明に係る音響装置１の装置外部に伝達する振動の低減効果を測定した。その結果を、１つのスピーカユニットのみをスピーカボックス内に取り付けた音響装置の測定結果と対比して示す。
【００４２】
なお、この低減効果は、スピーカボックス２の前面バッフル板５に取り付けられたスピーカユニット３から放音される音圧レベルの対比で示す。
【００４３】
ここで、本発明に係る音響装置１と対比される音響装置は、背面バッフル板に取り付けられるスピーカユニットを設けることなく、前面バッフル板にのみスピーカユニットを取り付けたものである。スピーカボックスを支持部材により支持する構成は、本発明に係る音響装置と同一であるので、更なる詳細な説明は省略する。
【００４４】
そして、装置外部に伝達する振動の低減効果を測定に当たっては、前面バッフル板５側に取り付けられ支持部材２１と背面バッフル板５側に取り付けられた支持部材２１の間の上端側及び下端側を連結板により連結し、スピーカボックス２の天板１６側に設けた連結板上に振動加速度ピックアップを設置し、スピーカボックス２の外部に伝達される振動の低減効果を測定した。
【００４５】
ここで、各スピーカユニットに２０〜１５０Ｈｚの周波数の音響信号を供給して駆動して得られる得られる音圧レベルと、振動加速度ピックアップにより測定される音圧レベルとを対比したところ、本発明に係る音響装置１では、図４中Ａで示すような音圧レベルのの低減効果得られ、スピーカボックス内に１つのスピーカユニットのみを取り付けた音響装置では、図４中Ｂで示すような音圧レベルのの低減効果得られた。
【００４６】
図４に示す示す測定結果から、本発明に係る音響装置１は、スピーカボックス内に１つのスピーカユニットのみを取り付けた音響装置に比し、外部に伝達される振動の低減が図られていることが認められた。特に、１００Ｈｚ近傍の周波数帯域では、２５ｄＢの低減効果が認められた。
【００４７】
よって、本発明に係る音響装置１では、スピーカボックス２内に設けたスピーカユニット３，４が駆動されることによって発生する振動の装置外部への伝播をを抑えることができるので、この音響装置１を、オーディオ機器やビデオ機器を収納し、あるいは設置される収納ラックに収納配置した場合でも、この収納ラックに収納若しくは設置されるオーディオ機器やビデオ機器を構成するビデオディスクプレーヤや映像表示装置に悪影響を及ぼすことが抑えられ、安定したオーディオ再生、ビデオ再生を実現し、映像表示装置による映像表示の劣化を防止することができる。
【００４８】
上述した音響装置１は、前面バッフル板５側及び背面バッフル板６側のそれぞれを一対ずつの支持部材２１により支持することにより、スピーカボックス２が設置面に接触しないようにしているが、前面バッフル板５側にのみ支持部材２１を取り付け、スピーカボックス２が設置面に接触しないようにしてもよい。この場合には、例えば、支持部材２１の基端部側にスピーカボックス２の底面側に延長した脚片を設け、この脚片を介して設置面上に設置するようにする。同様に、背面バッフル板６側にのみ支持部材２１を取り付け、スピーカボックス２が設置面に接触しないようにしてもよい。
【００４９】
また、上述の実施の形態では、第１及び第２のスピーカユニット３，４は、図２に示すように、音響放音面を互いに逆向きとした１８０度反転した状態で前面バッフル板５、背面バッフル板６にそれぞれ取り付けているが、さらに、図５に示すように、第１及び第２のスピーカユニット３，４の背面側を連結杆３５により連結するようにしてもよい。連結杆３５は、第１及び第２のスピーカユニット３，４の磁気回路部９，９との間に取り付けられ、各スピーカユニット３，４を連結している。
【００５０】
このように、第１及び第２のスピーカユニット３，４を連結杆３５により連結することにより、各スピーカユニット３，４が駆動されたときに、各スピーカユニット３，４のフレーム８，１１が変位することが抑えられ、スピーカボックス２の変位、特に天板１６及び底板１７の変位が抑えられ、天板１６及び底板１７、さたには側板１８，１９の振動も抑えられることになり、各バッフル板５，６を変位させる力が抑えられ、装置外部伝達される振動の抑制を図ることができる。
【００５１】
なお、前面バッフル板５には、第１のスピーカユニット３の背面側から放音される再生音響を前面側に導出するダクトを設けるようにしてもよい。ダクトを設けることにより、第１のスピーカユニット３から放音される再生音響の音圧周波数特性を改善することができる。特に、低域の周波数帯域の音圧周波数特性を改善することができる。
【００５２】
さらに、本発明に係る音響装置は、図６に示すように、オーディオ・ビデオ（ＡＶ）装置５１を構成する収納ラック５２に組み込み収納されて用いられる。この収納ラック５２には、ＤＶＤ(Digital Versatile  DIsc) 、コンパクトディスク(Compact Disc)等の光ディスクを記録媒体に用いる光ディスクプレーヤ５３、アンプ５４、チューナ５５等のオーディオ機器、ビデオ機器が組み込み収納される。この収納ラック５２の上部には、リアプロジェクション型のテレビジョン受像機５６等の映像表示機器が設置される。
【００５３】
図６に示すＡＶ装置５１は、音響再生をステレオ再生で行うため、２つの左チャンネル用のスピーカユニット６１，６２、２つの右チャンネル用のスピーカユニット６３，６４、センターチャンネル用のスピーカユニット６５を収納ラック５２に設けたスピーカ収納部６６に収納配置されている。
【００５４】
ここで、各スピーカユニット６１〜６５は、前述した音響装置１に用いられると同様のスピーカボックスに収納され、このスピーカボックスを介してスピーカ収納部６６に挿脱可能に収納される。
【００５５】
２つの左チャンネル用のスピーカユニット６１，６２のうちの一方は、低音域の周波数帯域を再生し、他方は、中高音域の周波数帯域を再生する。同様に２つの右チャンネル用のスピーカユニット６３，６４のうちの一方は、低音域の周波数帯域を再生し、他方は、中高音域の周波数帯域を再生する。また、センターチャンネル用のスピーカユニット６５は、全帯域の周波数帯域の再生を行う。
【００５６】
ここで、２０〜１５０Ｈｚ程度の低音域の周波数帯域をするスピーカユニット６１，６３から放音される音響に起因する振動が、オーディオ機器、ビデオ機器、さらには映像表示機器に伝達されると、これ機器に悪影響を及ぼし、音響再生特性を劣化させ、さらには、表示映像の劣化させることが著しい。
【００５７】
そこで、図６に示すＡＶ装置５１においては、左右のチャンネル用のスピーカユニット６１〜５４のうち、低域の周波数帯域を再生するスピーカユニット６１，６３を本発明に係る音響装置１に収納し、この音響装置１を収納ラック５２に収納するようにする。
【００５８】
図６に示すＡＶ装置５１に用いられる音響装置１は、基本的な構成は、前述した図１及び図２に示すものと共通にするので、共通する部分には、共通の符号を付して詳細な説明は省略する。
【００５９】
ＡＶ装置５１の収納ラック５２に収納されて用いられる音響装置７１は、図７に示すように、収納ラック５２のスピーカ収納部６６を構成する棚板７２間に支持部材２１を連結することにより、収納ラック５２に組み込み収納される。すなわち、音響装置７１は、スピーカボックス２を支持した支持部材２１をスピーカ収納部６５への取付部とし、この支持部材２１を介して収納ラック５２に収納し固定する。
【００６０】
なお、スピーカボックス２内には、図示はしないが、前述した音響装置と同様に、低域の周波数帯域を再生するスピーカユニット６１，６３に対し音響放音面を逆向きとした１８０度反転した状態で背面バッフル板６に取り付けられたスピーカユニット４が内蔵される。
【００６１】
このように、支持部材２１を介してスピーカボックス２を収納ラック５２に収納することにより、スピーカボックス２に収納されたスピーカユニット６１，６３が他のスピーカユニット４とともに駆動されたときに発生する振動が収納ラック５２に伝達することが抑制され、収納ラック５２に収納されたオーディオ機器、ビデオ機器、さらには収納ラック５２上に設置された映像機器に悪影響を及ぼすことが抑制され、安定したオーディオ再生、ビデオ再生を実現し、映像表示装置による映像表示の劣化を防止することができる。
【００６２】
なお、収納ラック５２に収納される他のスピーカユニット６２，６４，６５も、上述した音響装置７１と同様に、支持部材２１により支持されたスピーカボックス２に収納して、収納ラック５２のスピーカ収納部６６に収納するようにしてもよい。各スピーカユニット６１〜６５を支持部材２１により支持されたスピーカボックス２にそれぞれ収納し、各スピーカ収納部６６に収納するようにしてもよい。このように、全てのスピーカユニット６１〜６５を支持部材２１により支持されたスピーカボックス２に収納した本発明が適用された音響装置７１とすることにより、収納ラック５２に収納されたオーディオ機器、ビデオ機器、さらには収納ラック５２上に設置された映像機器への悪影響を一層確実に抑制することができる。
【００６３】
なお、支持部材２１の前面側は、前述した音響装置１と同様に、グリル２７が着脱自在にに取り付けられる。ここで用いられるグリル２７は、スピーカ収納部６６の前面をほぼ全面に亘って覆う大きさに形成されている。
【００６４】
また、図６に示すＡＶ装置５１に用いられる音響装置７１は、収納ラック５２のスピーカ収納部６６に挿脱可能とされたものであってもよい。この場合、スピーカボックス２をし支持した支持部材２１は、収納ラック５２に固定されることなく挿脱可能に構成する。音響装置７１を挿脱可能とすることにより、この音響装置７１を任意の位置に設置することにより、ＡＶ装置５１を設置する環境に応じて音響空間を可変し、ユーザが所望する音響空間を構成することが可能となる。
【００６５】
本発明は、上述の実施の形態に限られるものではなく、本発明の要旨を逸脱しない範囲で、適宜変更できることはいうまでもない。
【図面の簡単な説明】
【００６６】
【図１】本発明に係る音響装置を示す斜視図である。
【図２】本発明に係る音響装置を示す断面図である。
【図３】スピーカボックスを支持部材にし支持させるとともに、グリルを取り付けた状態を示す部分断面図である。
【図４】本発明に係る音響装置と比較例の振動の低減効果を示す特性図である。
【図５】本発明に係る音響装置の他の例を示す断面図である。
【図６】本発明に係る音響装置が用いられるオーディオ・ビデオ（ＡＶ）装置を示す斜視図である。
【図７】ＡＶ装置の収納ラックに音響装置を取り付けた状態を示す断面図である。
【符号の説明】
【００６７】
１  音響装置、  ２  スピーカボックス、  ３  第１のスピーカユニット、  ４  第２のスピーカユニット、  ５  前面バッフル板、  ６  背面バッフル板、  ２１  支持部材、  ２２  固定機構、  ２３  ボルト、  ２４  鬼目ナット、  ２５  ワッシャ、  ５１  オーディオ・ビデオ（ＡＶ）装置、  ５２  収納ラック
【図１】
2006352367.tif 000003
【図２】
2006352367.tif 000004
【図３】
2006352367.tif 000005
【図４】
2006352367.tif 000006
【図５】
2006352367.tif 000007
【図６】
2006352367.tif 000008
【図７】
2006352367.tif 000009